(57)【特許請求の範囲】
【請求項１】
筐体の内部と外部とを空間的に仕切る複数のカバー部材を備え、
前記カバー部材として、回動軸を中心に回動する開閉カバーと、
前記開閉カバーの前記回動軸の側の縁部と隣接する縁部を有する隣接カバーとを備え、
前記開閉カバーの前記回動軸の側の縁部と、前記隣接カバーの縁部との間に隙間を形成する筐体構造において、
前記筐体の内部から前記隙間を通過して外部に向かう経路が複数箇所の迂回部を有し、
前記開閉カバーから前記隣接カバーに向けて突出し、前記隣接カバーとの間に前記複数箇所の迂回部を形成する開閉カバー突出部を備え、
前記開閉カバーが閉鎖状態から開放状態になるように回転すると、前記開閉カバー突出部は、前記隣接カバーから離れる方向に移動する構成で、
前記隣接カバーの縁部に、前記隣接カバーの外側表面に対して傾斜した隣接カバー傾斜部を備えることを特徴とする筐体構造。
【請求項２】
筐体の内部と外部とを空間的に仕切る複数のカバー部材を備え、
前記カバー部材として、回動軸を中心に回動する開閉カバーと、
前記開閉カバーの前記回動軸の側の縁部と隣接する縁部を有する隣接カバーとを備え、
前記開閉カバーの前記回動軸の側の縁部と、前記隣接カバーの縁部との間に隙間を形成する筐体構造において、
前記開閉カバーにおける前記回動軸よりも前記筐体の内部側の位置から前記隣接カバーに向けて突出して、その先端面と前記隣接カバーとの間に前記隙間を形成する開閉カバー突出部と、
前記隣接カバーから前記開閉カバー突出部とは逆方向に突出して、その先端面が前記開閉カバー突出部の先端面よりも前記開閉カバー突出部の根元側に位置し、その先端面と前記開閉カバーとの間に前記隙間を形成する隣接カバー先端対向突出部と、を備える構成で、
前記隣接カバーの縁部に、前記隣接カバーの外側表面に対して傾斜した隣接カバー傾斜部を備えることを特徴とする筐体構造。
【請求項３】
請求項１または２の筐体構造において、
前記開閉カバーは複数の部材から構成されることを特徴とする筐体構造。
【請求項４】
請求項１乃至３の何れか一項に記載の筐体構造において、
前記隣接カバーから前記開閉カバーに向けて突出する隣接カバー突出部を備え、
前記隣接カバー突出部の先端は、前記開閉カバー突出部の先端よりも前記開閉カバー突出部の根元側に位置することを特徴とする筐体構造。
【請求項５】
請求項１乃至４の何れか一項に記載の筐体構造において、
前記隣接カバーは複数の隣接部材から構成されることを特徴とする筐体構造。
【請求項６】
請求項１乃至５の何れか一に記載の筐体構造において、
前記開閉カバー突出部は、前記開閉カバーの前記回動軸の側の端面から前記隣接カバーに向けて突出していることを特徴とする筐体構造。
【請求項７】
請求項１乃至６の何れか一に記載の筐体構造において、
前記隣接カバーの少なくとも一部が、前記筐体の内部と外部とを空間的に仕切る外装カバーであることを特徴とする筐体構造。
【請求項８】
請求項１乃至７の何れか一に記載の筐体構造において、
前記隣接カバーの少なくとも一部が、前記開閉カバーを閉鎖した状態では、前記開閉カバーに覆われる内装部材であることを特徴とする筐体構造。
【請求項９】
請求項１乃至８の何れか一に記載の筐体構造において、
前記開閉カバーは、前記回動軸が鉛直方向に延在して、横開きに開閉することを特徴とする筐体構造。
【請求項１０】
請求項１乃至８の何れかに記載の筐体構造において、
前記開閉カバーは、前記回動軸が水平方向に延在して、縦開きに開閉することを特徴とする筐体構造。
【請求項１１】
動作時に音を発生する音源装置と、前記音源装置を覆う筐体構造とを備えた電子機器において、
前記筐体構造として、請求項１乃至１０の何れかに記載の筐体構造を用いることを特徴とする電子機器。
【請求項１２】
画像形成装置において、
請求項１１に記載の電子機器の構成を備えたことを特徴とする画像形成装置。
【発明の詳細な説明】
【技術分野】
【０００１】
本発明は、筐体構造、電子機器及び画像形成装置に関するものである。
【背景技術】
【０００２】
電子写真方式の画像形成装置では、筐体の内部に配置された画像を形成するための各装置を覆い、内部と外部とを空間的に仕切る外装カバーを備えている。この種の画像形成装置として、特許文献１には、外装カバーとして、筐体本体に対して回動軸を中心に回動する開閉カバーを備えた構成が記載されている。この外装カバーによって、筐体の内部から外部への音の伝達を抑制し、音漏れの発生を抑制することができるとされている。
【発明の概要】
【発明が解決しようとする課題】
【０００３】
しかしながら、特許文献１に記載の画像形成装置のように開閉カバーを備える構成では、開閉カバーにおける回動軸を設けた側の縁部と、この縁部に隣接する縁部を有する隣接カバーとの間に隙間を設けることが一般的である。この隙間から音漏れが発生するおそれがあった。
【課題を解決するための手段】
【０００４】
上述した課題を解決するために、本発明は、筐体の内部と外部とを空間的に仕切る複数のカバー部材を備え、前記カバー部材として、回動軸を中心に回動する開閉カバーと、前記開閉カバーの前記回動軸の側の縁部と隣接する縁部を有する隣接カバーとを備え、前記開閉カバーの前記回動軸の側の縁部と、前記隣接カバーの縁部との間に隙間を形成する筐体構造において、前記筐体の内部から前記隙間を通過して外部に向かう経路が、複数箇所の迂回部を有し、前記開閉カバーから前記隣接カバーに向けて突出し、前記隣接カバーとの間に前記複数箇所の迂回部を形成する開閉カバー突出部を備え、前記開閉カバーが閉鎖状態から開放状態になるように回転すると、前記開閉カバー突出部は、前記隣接カバーから離れる方向に移動する構成で、前記隣接カバーの縁部に、前記隣接カバーの外側表面に対して傾斜した隣接カバー傾斜部を備えることを特徴とするものである。
【発明の効果】
【０００５】
本発明によれば、開閉カバーを備える筐体構造で、音漏れを抑制することができるという優れた効果がある。
【図面の簡単な説明】
【０００６】
【図１】実施形態に係る給紙部開閉カバーと給紙部固定カバーとの水平断面説明図。
【図２】実施形態に係る複写機の概略正面図。
【図３】実施形態に係る複写機の概略斜視図。
【図４】給紙部開閉カバーと給紙部固定カバーとの斜視説明図。
【図５】給紙部固定カバーに取り付ける前の給紙部開閉カバーの図４中の右下部近傍の拡大斜視図。
【図６】図１中のＨ−Ｈ断面における断面説明図。
【図７】変形例１に係る給紙部開閉カバーと給紙部固定カバーとの水平断面説明図。
【図８】、変形例２に係る給紙部開閉カバーの説明図、（ａ）は、給紙部開閉カバーと給紙部固定カバーとの水平断面説明図、（ｂ）は、（ａ）中のＪ−Ｊ断面における断面説明図。
【図９】変形例３に係る給紙部開閉カバーと給紙部固定カバーとの水平断面説明図。
【図１０】変形例３に係る給紙部開閉カバーと給紙部固定カバーとの奥側隙間を形成する部分の斜視断面図。
【図１１】変形例４に係る給紙部開閉カバーの説明図、（ａ）は、給紙部開閉カバーと給紙部固定カバーとの水平断面説明図、（ｂ）は、（ａ）中のＬ−Ｌ断面における断面説明図。
【図１２】変形例５に係る給紙部開閉カバーと給紙部固定カバーとの水平断面説明図。
【図１３】参考例に係る給紙部開閉カバーと給紙部固定カバーとの水平断面説明図。
【発明を実施するための形態】
【０００７】
以下、本発明を適用した画像形成装置について説明する。
図２は、本実施形態に係る画像形成装置である複写機１の概略正面図である。
図２に示すように、複写機１は、タンデム型のカラー複写機である。また、複写機１は、自動原稿搬送装置（以下、ＡＤＦという）１０と、装置本体１１とから構成されている。また、装置本体１１は、記録媒体である用紙に画像を形成する画像形成部５と、画像形成部５に用紙を給紙する給紙部３と、画像読取部４とから構成されている。
【０００８】
ＡＤＦ１０は、原稿トレイ２０と、原稿給紙ローラ２１と、原稿搬送ベルト２２と、原稿排紙ローラ２３と、原稿排紙トレイ２４とを含んで構成されている。ＡＤＦ１０は、画像読取部４に対して開閉自在に取り付けられている。画像読取部４は、読取筐体４０と、走査光学ユニット４１と、コンタクトガラス４２とを含んで構成されている。コンタクトガラス４２は、画像読取部４の読取筐体４０の上部に設けられ、読取筐体４０の上面部を構成している。
【０００９】
給紙部３は、給紙カセット３０と、給紙装置３１とを備えている。三つの給紙カセット３０は用紙サイズの異なる記録媒体としての用紙を収容する。給紙装置３１は、給紙カセット３０に収納された用紙を画像形成部５の主搬送路７０まで搬送する。
画像形成部５の側面には、複写機１本体に対して回動軸を中心に回転させることで手差しトレイとして機能する外装開閉カバー６が画像形成部５に対して開閉可能に配設されている。外装開閉カバー６を開放した状態で、その上面に手差しされた紙束における一番上の用紙が、送出ローラによって主搬送路７０に向けて送り出される。
主搬送路７０には、レジストローラ対７０ａが配設されており、レジストローラ対７０ａは、主搬送路７０内を搬送されてくる用紙をローラ間に挟み込んだ後、所定のタイミングで二次転写ニップに向けて送り込む。
【００１０】
画像形成部５は、露光ユニット５１、タンデム画像形成部５０、中間転写ベルト４４、中間転写ローラ５５、二次転写装置５２、定着ユニット５３、主搬送路７０、反転搬送路７３、及び、排紙路６０などを有している。
図２に示すように、露光ユニット５１は、タンデム画像形成部５０に隣接して配置され。各色に対応した四つの感光体７４のそれぞれに露光を行う。
タンデム画像形成部５０は、中間転写ベルト４４の上であって、中間転写ベルト４４の回転方向に沿ってイエロー、シアン、マゼンタ、ブラックの四つの作像部７５から構成されている。個々の作像部７５は、感光体７４の周りに帯電装置、現像装置、感光体クリーニング装置、除電装置などを備え、一体的に支持するプロセスカートリッジを構成し、装置本体１１に対して着脱可能となっている。
【００１１】
タンデム画像形成部５０では、画像読取部４によって読み取られて色別分解された画像情報に基づいて、それぞれの感光体７４に色分けしてトナー像を形成するようになっている。また、それぞれの感光体７４に形成されたトナー像は、中間転写ベルト４４に転写されるようになっている。
一方、中間転写ベルト４４を挟んでタンデム画像形成部５０の反対側には、二次転写装置５２が設けられている。二次転写装置５２は、転写部材である二次転写ローラ５２１を有し、二次転写ローラ５２１を中間転写ベルト４４に押し当てることにより、二次転写ニップを形成している。この二次転写ニップでは、中間転写ベルト４４に転写されたトナー像を、給紙部３から搬送された用紙に転写する。
【００１２】
二次転写ニップでトナー画像が転写された用紙は、二つの支持ローラ５７に張架された用紙搬送ベルト５６により定着ユニット５３へ送り込まれる。
定着ユニット５３は、無端ベルトである定着ベルト５８に加圧ローラ５９を押し当てて構成している。定着ユニット５３では、加圧ローラ５９により用紙に熱と圧力を加えることにより、用紙に転写されたトナー像のトナーを溶融して、用紙に定着する。
トナー像が定着された用紙は、排紙搬送路としての排紙路６０を経由して機外の排紙トレイ６１上にスタックされる。
【００１３】
図２に示すように、二次転写装置５２および定着ユニット５３の下側には反転搬送路７３が設けられている。反転搬送路７３は、用紙の両面に画像を形成するために、定着ユニット５３から排出された用紙の表裏を反転させて、用紙を再び主搬送路７０を介して二次転写装置５２に供給するためのものである。
【００１４】
図３は、複写機１の概略斜視図である。
図３中の矢印「Ｄ」で示すように、外装開閉カバー６は、回動軸６ａを中心に回転することで、複写機１の右側面の外装の一部を開放し、矢印「Ｄ」とは逆方向に回転することで開放した部分を閉鎖する構成となっている。
また、図３中の矢印「Ｆ」で示すように、給紙部開閉カバー３５は、鉛直回動軸３５ａを中心に回転することで、複写機１の給紙部３の右側面の外装の一部を開放し、矢印「Ｆ」とは逆方向に回転することで開放した部分を閉鎖する構成となっている。
図３に示すように、給紙部３の右側の外装面は、給紙部開閉カバー３５と給紙部固定カバー９とによって形成される。
【００１５】
図４は、給紙部開閉カバー３５を閉鎖した状態の給紙部開閉カバー３５と給紙部固定カバー９との斜視説明図である。図５は、給紙部固定カバー９に取り付ける前の給紙部開閉カバー３５の図４中の右下部近傍の拡大斜視図である。
図１は、給紙部開閉カバー３５と給紙部固定カバー９との図３中のＧ−Ｇ断面における水平断面説明図である。
【００１６】
図５に示すように、給紙部開閉カバー３５の奥側の下部近傍には、給紙部開閉カバー３５の下部の縁よりも下方に突き出した円柱状の鉛直回動軸突部３５ｄを備える。また、給紙部開閉カバー３５の奥側の上部近傍にも、同様に給紙部開閉カバー３５の上部の縁よりも上方に突き出した円柱状の鉛直回動軸突部３５ｄを備える。給紙部固定カバー９に設けた鉛直回動軸係合穴９ｂに鉛直回動軸突部３５ｄが入り込むように、給紙部固定カバー９に対して給紙部開閉カバー３５を取り付ける。これにより、図１及び図３中の矢印「Ｆ」に示すように、給紙部固定カバー９に対して給紙部開閉カバー３５が回動可能となる。
また、円柱状の鉛直回動軸突部３５ｄの中心線となる仮想線が給紙部開閉カバー３５の回動軸である鉛直回動軸３５ａとなる。
【００１７】
給紙部開閉カバー３５を複写機１本体に対して閉鎖して図１の状態とすることで、給紙部開閉カバー３５によって複写機１の内部と外部とが空間的に仕切られる。図１では、給紙部開閉カバー３５を挟んで左側が複写機１の内部であり、右側が複写機１の外部である。
本実施形態では、給紙部固定カバー９が、給紙部開閉カバー３５と隣接する隣接カバーを構成し、さらに、給紙部開閉カバー３５を回動可能に支持する開閉カバー支持体を構成する。
【００１８】
複写機１では、各種ローラに回転駆動を伝達する駆動モータの駆動音や、各種ローラ等の移動部材の移動音、走査光学ユニット４１のポリゴンミラーの回転音等の様々な音が発生する。このような音が複写機１の外部に伝達し、周辺の人に不快感を与える騒音となるおそれがある。複写機１の外部と内部とを空間的に仕切る給紙部固定カバー９及び給紙部開閉カバー３５等の外装カバーは、内部で発生した音が外部に伝達することを抑制し、騒音の発生を抑制することができる。
【００１９】
図１及び図４に示すように、閉鎖状態の給紙部開閉カバー３５の先端側（図１中の下側）となる装置の手前側縁部と、給紙部固定カバー９の手前側枠部９２との間には隙間（以下、「手前側隙間９２０」と呼ぶ）が形成されている。また、図４に示すように、給紙部開閉カバー３５の上方の縁と、給紙部固定カバー９の上側枠部９３との間には隙間（以下、「上側隙間９３０」と呼ぶ）が形成されている。また、図４に示すように、給紙部開閉カバー３５の下方の縁と、給紙部固定カバー９の下側枠部９４との間には隙間（以下、「下側隙間９４０」と呼ぶ）が形成されている。さらに、図１及び図４に示すように、給紙部開閉カバー３５における鉛直回動軸３５ａ側（図１中の上側）となる装置の奥側縁部と、給紙部固定カバー９の奥側枠部９１との間には隙間（以下、「奥側隙間９１０」と呼ぶ）が形成されている。
本実施形態では、手前側枠部９２と奥側枠部９１とが給紙部固定カバー９の一部であり、一つの部材から構成されているが、手前側枠部９２と奥側枠部９１とを異なる部材で構成してもよい。
【００２０】
本実施形態では、給紙部開閉カバー３５の上下及び手前奥の四辺の縁部と給紙部固定カバー９との間に隙間を設ける。これにより、給紙部開閉カバー３５を開閉するときに、給紙部固定カバー９が干渉することを防止できる。
しかし、手前側隙間９２０、上側隙間９３０、下側隙間９４０及び奥側隙間９１０は、複写機１の外装カバーを挟んだ内部と外部とを連通する隙間があるため、複写機１の内部で発生した音がこれらの隙間から外部に漏れ出るおそれがある。
【００２１】
また、給紙部開閉カバー３５のように回動軸を中心に本体に対して回動可能な開閉カバーを備える筐体構造では、開閉カバーにおける回動軸を設けた側の縁部と、この縁部と隣接する縁部を有する隣接カバーとの間に隙間を設ける必要がある。
これは以下の理由による。
【００２２】
すなわち、開閉カバーを閉鎖した状態で開閉カバーの回動軸側の縁部を、隣接カバーに接触させることで、隙間を設けない構成とすることが考えられる。しかしながら、開閉カバーと、隣接カバーとには厚みがある。このため、開閉カバーの回動軸側の端面を隣接カバーに接触させた状態で、開閉カバーを回転させようとしても、上記端面の回転軌跡上に隣接カバーが位置することとなる。これにより、開閉カバーの開閉が行えない構成や、開閉を行うたびに開閉カバーの回動軸側の縁部と隣接カバーの縁部とが接触して破損し易い構成となってしまう。また、部品公差や組み付け公差、開閉時の操作性も考慮すると、隙間を設けない構成は現実的ではない。
【００２３】
このため、開閉カバーにおける回動軸側の縁部と、この縁部に隣接する隣接カバーとの間には隙間を設ける必要がある。
しかしながら、この隙間を通過して筐体構造の内部で発生した音が外部に漏れ出て騒音となるおそれがある。
これに対して、本実施形態の複写機１では、開閉カバーとしての給紙部開閉カバー３５の回動軸側の縁部と、給紙部固定カバー９の奥側枠部９１との間に形成された隙間である奥側隙間９１０が、複数箇所の迂回部を有するラビリンス形状となっている。このため、複写機１の内部で発生し、奥側隙間９１０を通過して外部に向かおうとする音は、複数回回折する。
これにより、給紙部開閉カバー３５の回動軸側の縁部と給紙部固定カバー９の奥側枠部９１との間に隙間を形成する構成で、音漏れを抑制することができる。
【００２４】
図１に示すように、給紙部開閉カバー３５は、奥側の縁部に複写機１の内部側に向けて延在する開閉カバー内部方向延在部３５ｂを備え、さらに、開閉カバー内部方向延在部３５ｂから奥側に向けて突出した開閉カバー奥方向突部３５ｃを備える。また、給紙部固定カバー９の奥側枠部９１は、給紙部開閉カバー３５の奥側の縁部と対向する開口奥端面９１ｃから手前側に向けて突出する突出部として、奥固定カバー先端対向突部９１ａと奥固定カバー側面対向突部９１ｂとを備える。給紙部開閉カバー３５が閉鎖状態のときに、奥固定カバー先端対向突部９１ａ及び奥固定カバー側面対向突部９１ｂの表面と、開口奥端面９１ｃとによって形成される凹部の内側に、開閉カバー奥方向突部３５ｃが入り込む構成となっている。奥固定カバー先端対向突部９１ａ及び奥固定カバー側面対向突部９１ｂの表面と、開口奥端面９１ｃとが開閉カバー奥方向突部３５ｃの表面に接触せずに、開閉カバー奥方向突部３５ｃの先端部の三方を囲むように対向することで奥側隙間９１０が形成される。
このような構成により、奥側隙間９１０によって形成される複写機１の内部から奥側隙間９１０を通過して外部に向かう空気の経路が、複数箇所の屈曲部を有する形状となっている。
【００２５】
図１中の矢印「ａ」で示すように進行する音のうち、奥側隙間９１０における開閉カバー奥方向突部３５ｃの先端と、奥固定カバー側面対向突部９１ｂの側面との間の部分である第一回折口９１０ａで、回折した音が矢印「ｂ」で示すように進行する。
また、矢印「ｂ」で示すように進行する音のうち、奥側隙間９１０における開閉カバー奥方向突部３５ｃの先端面と開口奥端面９１ｃとの間の部分である第二回折口９１０ｂで、回折した音が矢印「ｃ」で示すように進行する。
さらに、矢印「ｃ」で示すように進行する音のうち、奥側隙間９１０における奥固定カバー先端対向突部９１ａの先端と開閉カバー奥方向突部３５ｃの側面との間の部分である第三回折口９１０ｃで、回折した音が矢印「ｄ」で示すように進行する。
このように、複写機１の内部で発生し、外部に向かおうとする音は、奥側隙間９１０内で複数回回折するため、遮音効果を発揮することができる。
【００２６】
また、図１に示すように、給紙部開閉カバー３５は、手前側の縁部に複写機１の内部側に向けて突出した開閉カバー先端突部３５ｅを備える。また、給紙部固定カバー９の手前側枠部９２は、給紙部開閉カバー３５の手前側の縁部と対向する開口手前端面９２ｃから奥側向けて突出し、図１中の右側に折れ曲がった手前固定カバー突部９２ａを備える。
給紙部開閉カバー３５が閉鎖状態のときに、開口手前端面９２ｃと手前固定カバー突部９２ａの表面とによって形成される凹部の内側に、開閉カバー先端突部３５ｅが入り込む構成となっている。そして、閉鎖状態のときに、開口手前端面９２ｃと手前固定カバー突部９２ａの表面とが開閉カバー先端突部３５ｅの表面に接触せずに開閉カバー先端突部３５ｅの三方を囲むように対向することで、手前側隙間９２０が形成されている。手前側隙間９２０も奥側隙間９１０と同様に複数箇所の迂回部を有するラビリンス形状となっており、遮音効果を発揮することができる。
【００２７】
さらに、上側隙間９３０及び下側隙間９４０もラビリンス形状とする。これにより、給紙部開閉カバー３５の四辺すべての縁と給紙部固定カバー９との間に隙間を設けた構成で、装置内部で発生した音が外部に漏れ出ることを抑制できる。
【００２８】
図１３は、給紙部開閉カバー３５と給紙部固定カバー９との間の奥側隙間９１０をラビリンス形状とした構成で、給紙部開閉カバー３５を開閉することができない不具合が生じる参考例の説明図である。
上述したように、複写機１の内で発生した音は、外装カバー同士の隙間から複写機１の外部に伝達し、音漏れとなることがある。特に、給紙部開閉カバー３５のような開閉カバーは、ほかの外装カバーとの境目で隙間が生じ易い。この外装カバー同士の境目の隙間をラビリンス構造にすることで、音漏れを抑制できる。
【００２９】
開閉カバーは、他の外装カバーとの境目となる四辺の縁部のうち、回動軸側の縁部以外の三辺の縁部は、他の外装カバーとの隙間をラビリンス構造とすることは比較的容易である。しかし、開閉カバーの先端を、回動軸を中心に装置の外側に向けて回動させて開閉カバーを開放しようとすると、開閉カバーの回動軸側の縁部は、回動軸を挟んで開閉カバーの先端に対して反対側に位置するため、装置の内側に向けて回動する。このとき、開閉カバーの回動軸側の縁部のラビリンス形状を形成する部分と、本体側のラビリンス形状を形成する部分とが干渉して、開閉カバーの開閉が行えない構成となることがある。
【００３０】
図１３に示す参考例では、給紙部開閉カバー３５は、奥側の縁部に複写機１の内部側に向けて突出した開閉カバー内部方向突部３５ｆを備える。また、給紙部固定カバー９の奥側枠部９１は、開口奥端面９１ｃから手前側に向けて突出し、図１中の右側に折れ曲がった奥固定カバー屈曲突部９１ｇを備える。そして、開閉カバー内部方向突部３５ｆの先端を奥固定カバー屈曲突部９１ｇが囲むことでラビリンス形状の奥側隙間９１０が形成されている。
【００３１】
図１３に示す参考例で、給紙部開閉カバー３５を、鉛直回動軸３５ａを中心に図１３中の矢印「Ｆ」で示すように複写機１の外側に向けて回動させて開放する場合について考える。この場合、開閉カバー内部方向突部３５ｆは図１３中の矢印「Ｆ’」で示すように複写機１の内側に向けて回動する。しかし、図１３に示す参考例の構成では、給紙部開閉カバー３５の回動軸側の縁部のラビリンス形状を形成する部分である開閉カバー内部方向突部３５ｆの回転軌跡上に本体側のラビリンス形状を形成する部分である奥固定カバー屈曲突部９１ｇが位置する。これは、給紙部開閉カバー３５を閉鎖状態から開放状態に回転させる開放動作のときの回転方向（矢印「Ｆ’」で示す方向）に対して、開閉カバー内部方向突部３５ｆが上流側から下流側に向けて突出しているためである。このため、開閉カバー内部方向突部３５ｆと奥固定カバー屈曲突部９１ｇとが干渉し、図１３中の一点鎖線で示す開放状態の位置に給紙部開閉カバー３５を変位させることができない構成となる。
【００３２】
これに対して、本実施形態の複写機１では次のような構成を備える。すなわち、給紙部開閉カバー３５の回動軸側の縁部のラビリンス形状を形成する部分である開閉カバー奥方向突部３５ｃは、給紙部開閉カバー３５の開放動作のときの回転方向（図１中の矢印「Ｉ」方向）に対して下流側から上流側に向けて突出している。
【００３３】
給紙部開閉カバー３５は鉛直回動軸３５ａを中心に図１中の矢印「Ｆ」で示すように複写機１の外側に向けて回動させて開放する際に開閉カバー奥方向突部３５ｃは鉛直回動軸３５ａを中心に図１中の矢印「Ｉ」で示す方向に回転する。開閉カバー奥方向突部３５ｃは、上述したように矢印「Ｉ」で示す回転方向に対して、下流側から上流側に向けて突出している。
【００３４】
これにより、開放動作時に、開閉カバー奥方向突部３５ｃの先端がその根元側に向かうように移動する。そして、開閉カバー奥方向突部３５ｃが本体側のラビリンス形状を形成する部分である奥固定カバー先端対向突部９１ａ及び奥固定カバー側面対向突部９１ｂの突出方向に向けて離れるように移動する。このため、給紙部開閉カバー３５は給紙部固定カバー９の奥側枠部９１と干渉することなく回転することができる。よって、給紙部開閉カバー３５の鉛直回動軸３５ａ側の縁部と給紙部固定カバー９の奥側枠部９１との間の奥側隙間９１０にラビリンス形状を形成する構成を実現することができる。
よって、給紙部開閉カバー３５の回動に必要な隙間（奥側隙間９１０）を確保しつつ、音漏れを抑制することができる。
【００３５】
図６は、図１中のＨ−Ｈ断面における断面説明図である。
図１中のＨ−Ｈ断面は、給紙部開閉カバー３５の鉛直回動軸３５ａの側の縁部と給紙部開閉カバー３５の先端側の縁部とを繋ぐ仮想直線（Ｙ軸に平行な直線）に対して直交する仮想平面である。また、本実施形態では、給紙部開閉カバー３５の外装面である給紙部開閉カバー外装面３５ｇがＹ−Ｚ平面に対して平行な平面である。このため、図１中のＨ−Ｈ断面は、給紙部開閉カバー外装面３５ｇに対して垂直で、且つ、鉛直回動軸３５ａに平行な仮想平面（Ｚ−Ｘ平面）である。
【００３６】
そして、実施形態の複写機１は、図１及び図６に示すように、Ｈ−Ｈ断面には、開閉カバー奥方向突部３５ｃと、奥固定カバー先端対向突部９１ａと、奥固定カバー側面対向突部９１ｂとの三つの突出部が位置する構成となっている。
図６に示すＹ軸に直交する断面（Ｘ−Ｚ平面）内では、開閉カバー奥方向突部３５ｃと、これを囲む凹部形状を形成する奥固定カバー先端対向突部９１ａ及び奥固定カバー側面対向突部９１ｂとが配置された構成となっている。これにより、奥側隙間９１０は複数箇所の迂回部を有するラビリンス形状となり、給紙部開閉カバー外装面３５ｇに直交する方向（Ｘ軸方向）に直線的に音が漏れ出ることを防止できる。
【００３７】
図１に示すように、給紙部開閉カバー３５が備える開閉カバー奥方向突部３５ｃは、その先端面及び図１中の左右の側面が奥側隙間９１０を挟んで奥側枠部９１の表面と対向する。奥側枠部９１が備える奥固定カバー側面対向突部９１ｂは、図１中の右側面が奥側隙間９１０を挟んで給紙部開閉カバー３５の開閉カバー奥方向突部３５ｃの図１中の左側面と対向する。奥側枠部９１が備える奥固定カバー先端対向突部９１ａは、図１中の左側面が奥側隙間９１０を挟んで給紙部開閉カバー３５の開閉カバー奥方向突部３５ｃの図１中の右側面と対向する。さらに、奥固定カバー先端対向突部９１ａの先端面が奥側隙間９１０を挟んで給紙部開閉カバー３５の開閉カバー内部方向延在部３５ｂの奥側の面（図１中の上側の面）と対向する。
【００３８】
このように、給紙部開閉カバー３５と奥側枠部９１とに奥側隙間９１０を形成する開閉カバー奥方向突部３５ｃと、奥固定カバー先端対向突部９１ａ及び奥固定カバー側面対向突部９１ｂとをそれぞれ備える。また、装置の奥側から手前側に向けて突出する奥固定カバー先端対向突部９１ａ及び奥固定カバー側面対向突部９１ｂの先端面は、装置の手前側から奥側に向けて突出する開閉カバー奥方向突部３５ｃの先端面よりも開閉カバー奥方向突部３５ｃの根元側に位置する。
これより、装置の手前−奥方向（図１中の上下方向、Ｙ軸方向）において、開閉カバー奥方向突部３５ｃの先端面と奥固定カバー先端対向突部９１ａの先端面との間のＨ−Ｈ断面が図６で示す状態となる。すなわち、Ｈ−Ｈ断面内に開閉カバー奥方向突部３５ｃと、奥固定カバー先端対向突部９１ａと、奥固定カバー側面対向突部９１ｂとの三つの突出部が位置する構成を実現できる。
【００３９】
また、開閉カバー奥方向突部３５ｃは、給紙部開閉カバー３５の開閉カバー内部方向延在部３５ｂにおける鉛直回動軸３５ａよりも筐体の内部側（図１中の左側）の位置から装置の奥方向（図１中の上方向）に向けて突出している。開放動作時に、開閉カバー内部方向延在部３５ｂにおける鉛直回動軸３５ａよりも筐体の内部側（図１中の左側）の位置は、まず装置の奥側から手前側（図１中の上から下）に向けて移動する。このため、開放動作時に、開閉カバー奥方向突部３５ｃの先端がその根元側に向かうように移動し、開閉カバー奥方向突部３５ｃが奥固定カバー先端対向突部９１ａ及び奥固定カバー側面対向突部９１ｂの突出方向に向けて離れるように移動する構成を実現できる。
【００４０】
〔変形例１〕
次に、本実施形態に係る複写機１の一つ目の変形例（以下、「変形例１」と呼ぶ）について説明する。
図７は、変形例１に係る複写機１の給紙部開閉カバー３５と給紙部固定カバー９との水平断面説明図である。
図７に示す変形例１の複写機１は、図１に示す実施形態の複写機１に対して奥固定カバー側面対向突部９１ｂを備えない構成である。
【００４１】
変形例１の構成では、図７中の矢印「ａ」で示すように進行する音のうち、回折した音が矢印「ｂ」で示すように進行し、さらに、矢印「ｂ」で示すように進行する音のうち、回折した音が矢印「ｃ」で示すように進行して装置外部に伝達する。
このように、変形例１の構成では、複写機１の内部で発生し、外部に向かおうとする音は、奥側隙間９１０内で二回回折するため、遮音効果を発揮することができる。
【００４２】
〔変形例２〕
次に、本実施形態に係る複写機１の二つ目の変形例（以下、「変形例２」と呼ぶ）について説明する。
図８は、変形例２に係る複写機１の給紙部開閉カバー３５の説明図である。図８（ａ）は、給紙部開閉カバー３５と給紙部固定カバー９との水平断面説明図であり、図８（ｂ）は、図８（ａ）中のＪ−Ｊ断面における断面説明図である。
【００４３】
図８に示す変形例２の構成では、装置の手前側から奥側に向けて突出する開閉カバー奥方向突部３５ｃを備え、装置の奥側から手前側に向けて突出する奥固定カバー先端対向突部９１ａ及び奥固定カバー側面対向突部９１ｂを備える。そして、これら三つの突出部が図８（ｂ）に示すＪ−Ｊ断面内に位置する構成となっている。図８（ａ）中のＪ−Ｊ断面は図１中のＨ−Ｈ断面と同様に、給紙部開閉カバー外装面３５ｇに対して垂直で、且つ、鉛直回動軸３５ａに平行な仮想平面（Ｚ−Ｘ平面）である。
【００４４】
図８に示す変形例２の複写機１は、奥固定カバー先端対向突部９１ａ及び奥固定カバー側面対向突部９１ｂが開閉カバー奥方向突部３５ｃに対して筐体内部側（図８中の左側）に位置している。さらに、開閉カバー内部方向延在部３５ｂは、開閉カバー奥方向突部３５ｃを設けた位置よりも筐体内部側（図８中の左側）に延長した延長部３５ｂ１を備える。延長部３５ｂ１は、奥固定カバー先端対向突部９１ａの先端面と対向する位置まで延長されており、奥固定カバー先端対向突部９１ａの先端面との間で奥側隙間９１０を形成する。
さらに、延長部３５ｂ１の筐体内部側（図８中の左側）の先端面は、奥固定カバー側面対向突部９１ｂの図８中の右側面と対向し、奥側隙間９１０を形成する。
【００４５】
変形例２の複写機１では、奥固定カバー先端対向突部９１ａ、奥固定カバー側面対向突部９１ｂ、延長部３５ｂ１及び開閉カバー奥方向突部３５ｃにより奥側隙間９１０が形成されている。そして、奥側隙間９１０は、複写機１の内部で発生して外部に向かおうとする音が、図８（ａ）中の矢印「ａ」〜「ｄ」で示すように奥側隙間９１０内で複数回折するラビリンス形状となっている。よって、上述した実施形態の構成と同様に、給紙部開閉カバー３５の回動に必要な隙間を確保しつつ、音漏れを抑制することができる。
【００４６】
〔変形例３〕
次に、本実施形態に係る複写機１の三つ目の変形例（以下、「変形例３」と呼ぶ）について説明する。
図９は、変形例３に係る複写機１の給紙部開閉カバー３５と給紙部固定カバー９との水平断面説明図である。図１０は、変形例３に係る複写機１の給紙部開閉カバー３５と給紙部固定カバー９との奥側隙間９１０を形成する部分の斜視断面図である。
【００４７】
図９に示すように、変形例３では、給紙部開閉カバー３５の内部側に開閉カバー別体部材３６を取り付け、開閉カバー別体部材３６から奥側に向けて突出した別体カバー奥方向突部３６ａを備える。別体カバー奥方向突部３６ａと、開閉カバー奥方向突部３５ｃと、開閉カバー内部方向延在部３５ｂとが、奥固定カバー先端対向突部９１ａの先端部の三方を囲むように対向することで奥側隙間９１０が形成される。
【００４８】
図９に示す変形例３の構成では、装置の手前側から奥側に向けて突出する別体カバー奥方向突部３６ａ及び開閉カバー奥方向突部３５ｃと、装置の奥側から手前側に向けて突出する奥固定カバー先端対向突部９１ａとを備える。そして、これら三つの突出部が図９中のＫ−Ｋ断面内に位置する構成となっている。図９中のＫ−Ｋ断面は図１中のＨ−Ｈ断面と同様に、給紙部開閉カバー外装面３５ｇに対して垂直で、且つ、鉛直回動軸３５ａに平行な仮想平面（Ｚ−Ｘ平面）である。
【００４９】
変形例３の複写機１では、別体カバー奥方向突部３６ａ、開閉カバー奥方向突部３５ｃ、開閉カバー内部方向延在部３５ｂ及び奥固定カバー先端対向突部９１ａにより奥側隙間９１０が形成されている。そして、奥側隙間９１０は、複写機１の内部で発生し、外部に向かおうとする音が、図９中の矢印「ａ」〜「ｅ」で示すように奥側隙間９１０内で複数回折するラビリンス形状となっている。よって、上述した実施形態の構成と同様に、給紙部開閉カバー３５の回動に必要な隙間を確保しつつ、音漏れを抑制することができる。
【００５０】
また、変形例３では、開閉カバーとして鉛直回動軸３５ａを中心に回動する部材が、給紙部開閉カバー３５と開閉カバー別体部材３６との二つの部材から構成される。そして、給紙部開閉カバー３５及び開閉カバー別体部材３６がそれぞれ開閉カバー突出部としての開閉カバー奥方向突部３５ｃ及び別体カバー奥方向突部３６ａを備える。
二つの開閉カバー突出部を別々の部材から突出させることにより、奥固定カバー先端対向突部９１ａの先端部を囲む凹部形状を容易に形成することが可能となる。
【００５１】
また、変形例３の複写機１では、図９に示すように、奥側枠部９１の装置の手前側の縁部に奥側枠部外装面９１ｄに対して傾斜した奥側枠部傾斜部９１ｆを備える。奥側枠部傾斜部９１ｆを設けることで、給紙部開閉カバー３５の奥側端部と奥側枠部９１とを干渉させずに給紙部開閉カバー３５を回動できる角度の範囲を９０［°］よりも大きくすることが可能となる。
これにより、給紙部開閉カバー３５の開放時の内部に対する操作性及び視認性の向上を図ることが出来る。
【００５２】
給紙部開閉カバー３５の回動範囲の角度が大きいほど、給紙部開閉カバー３５の回動軸側の縁部と、奥側枠部９１との隙間は広くなり、音が漏れ易くなる傾向がある。これに対して、変形例３では、奥側枠部傾斜部９１ｆを設けることで、奥側隙間９１０における外装カバーの外部側の端部近傍が、内部側（図９の左側）ほど狭くなるテーパー状となる。これにより、給紙部開閉カバー３５の回動軸側の縁部と奥側枠部９１とが最も近づく位置における隙間を狭くしつつ、給紙部開閉カバー３５の回動範囲の角度を９０［°］よりも大きくすることが可能となる。よって、給紙部開閉カバー３５の回動範囲の角度を大きくしつつ、音漏れを抑制する性能を維持することができる。
【００５３】
〔変形例４〕
次に、本実施形態に係る複写機１の四つ目の変形例（以下、「変形例４」と呼ぶ）について説明する。
図１１は、変形例４に係る複写機１の給紙部開閉カバー３５の説明図である。図１１（ａ）は、給紙部開閉カバー３５と給紙部固定カバー９との水平断面説明図であり、図１１（ｂ）は、図１１（ａ）中のＬ−Ｌ断面における断面説明図である。
【００５４】
図１１に示す変形例４の構成では、装置の手前側から奥側に向けて突出する開閉カバー奥方向突部３５ｃを一つ備え、装置の奥側から手前側に向けて突出する奥固定カバー先端対向突部９１ａを二つ備える。さらに、装置の奥側から手前側に向けて突出する奥固定カバー側面対向突部９１ｂを備える。そして、これら四つの突出部が図１１（ｂ）に示すＬ−Ｌ断面内に位置する構成となっている。図１１（ａ）中のＬ−Ｌ断面は図１中のＨ−Ｈ断面と同様に、給紙部開閉カバー外装面３５ｇに対して垂直で、且つ、鉛直回動軸３５ａに平行な仮想平面（Ｚ−Ｘ平面）である。
【００５５】
図１１に示す変形例４の複写機１は、二つの奥固定カバー先端対向突部９１ａと奥固定カバー側面対向突部９１ｂとが開閉カバー奥方向突部３５ｃに対して筐体内部側（１１（ａ）中の左側）に位置している。さらに、開閉カバー内部方向延在部３５ｂは、開閉カバー奥方向突部３５ｃを設けた位置よりも筐体内部側（図１１（ａ）中の左側）に延長した延長部３５ｂ１を備える。延長部３５ｂ１は、二つの奥固定カバー先端対向突部９１ａの先端面と対向する位置まで延長されており、これら二つの奥固定カバー突部９１ａの先端面との間で奥側隙間９１０を形成する。
さらに、延長部３５ｂ１の筐体内部側（図１１（ａ）中の左側）の先端面は、奥固定カバー側面対向突部９１ｂの図１１（ａ）中の右側面と対向し、奥側隙間９１０を形成する。
【００５６】
変形例４の複写機１では、二つの奥固定カバー先端対向突部９１ａ、奥固定カバー側面対向突部９１ｂ、延長部３５ｂ１及び開閉カバー奥方向突部３５ｃにより奥側隙間９１０が形成されている。そして、奥側隙間９１０は、複写機１の内部で発生し、外部に向かおうとする音が、図１１（ａ）中の矢印「ａ」〜「ｄ」で示すように奥側隙間９１０内で複数回折するラビリンス形状となっている。よって、上述した実施形態の構成と同様に、給紙部開閉カバー３５の回動に必要な隙間を確保しつつ、音漏れを抑制することができる。
【００５７】
また、変形例４では、図１１に示すように二つの奥固定カバー先端対向突部９１ａ同士を繋ぐ形状として奥固定カバー突部補強リブ９１ｅを備えている。図１１（ａ）の紙面に直交する方向（Ｚ軸方向、図１１（ｂ）中の上下方向）の複数箇所に奥固定カバー突部補強リブ９１ｅを設けることで、強度及び遮蔽性の向上を図るとともに、奥側隙間９１０の幅の適正化を行っている。
【００５８】
〔変形例５〕
次に、本実施形態に係る複写機１の五つ目の変形例（以下、「変形例５」と呼ぶ）について説明する。
図１２は、変形例５に係る複写機１の給紙部開閉カバー３５と給紙部固定カバー９との水平断面説明図である。
【００５９】
図１２に示すように、変形例５の複写機１は、給紙部開閉カバー３５を閉鎖した状態では、給紙部開閉カバー３５に覆われ、給紙部開閉カバー３５を開放することで露出する内装部材としての給紙部インナーカバー８０を備える。給紙部インナーカバー８０は、奥側枠部９１を備える外装カバーである給紙部固定カバー９とは別部材である。また、給紙部インナーカバー８０に装置の奥側から手前側に向けて突出したインナーカバー突部８０ａを備える。インナーカバー突部８０ａと、開口奥端面９１ｃと、奥固定カバー先端対向突部９１ａとが、開閉カバー奥方向突部３５ｃの先端部の三方を囲むように対向することで奥側隙間９１０が形成される。
【００６０】
図１２に示す変形例５の構成では、装置の手前側から奥側に向けて突出する一つの開閉カバー奥方向突部３５ｃと、装置の奥側から手前側に向けて突出する奥固定カバー先端対向突部９１ａ及びインナーカバー突部８０ａとを備える。そして、これら三つの突出部が図１２中のＭ−Ｍ断面内に位置する構成となっている。図１２中のＭ−Ｍ断面は図１中のＨ−Ｈ断面と同様に、給紙部開閉カバー外装面３５ｇに対して垂直で、且つ、鉛直回動軸３５ａに平行な仮想平面（Ｚ−Ｘ平面）である。
【００６１】
変形例５の複写機１では、インナーカバー突部８０ａ、開閉カバー奥方向突部３５ｃ、開口奥端面９１ｃ及び奥固定カバー先端対向突部９１ａにより奥側隙間９１０が形成されている。そして、奥側隙間９１０は、複写機１の内部で発生し、外部に向かおうとする音が、図１２中の矢印「ａ」〜「ｄ」で示すように奥側隙間９１０内で複数回折するラビリンス形状となっている。よって、上述した実施形態の構成と同様に、給紙部開閉カバー３５の回動に必要な隙間を確保しつつ、音漏れを抑制することができる。
【００６２】
また、変形例５の給紙部インナーカバー８０は、給紙部固定カバー９とともに複写機１本体のフレームに固定されており、隣接カバーの一部である。変形例５では、隣接カバーを構成する複数の隣接部材である給紙部インナーカバー８０及び給紙部固定カバー９のそれぞれが、隣接カバー突出部であるインナーカバー突部８０ａ及び奥固定カバー先端対向突部９１ａを備える構成である。
二つの隣接カバー突出部を別々の部材から突出させることにより、開閉カバー奥方向突部３５ｃの先端部を囲む凹部形状を容易に形成することが可能となる。
【００６３】
上述した実施形態及び各変形例では、鉛直方向に延在する鉛直回動軸３５ａを中心に横方向に開閉する横開き型の給紙部開閉カバー３５について説明した。
上述した奥側隙間９１０、手前側隙間９２０、上側隙間９３０及び下側隙間９４０をラビリンス形状にする構成は、水平方向に延在する回動軸６ａを中心に縦方向に開閉する縦開き型の外装開閉カバー６（図３参照）にも適用可能である。
【００６４】
上述した実施形態及び各変形例の複写機１が有する奥側隙間９１０は、外装カバーの内部と外部とを直線的に結び得る空気の経路に複数箇所の迂回部を設け、経路を複数回迂回させる形状である。このように、気体の経路を複数回迂回させることで、複写機１の内部で発生し、気体の経路である奥側隙間９１０を通過して外部に向かおうとする音は複数回回折する。そして、複数回回折させることで音を減衰させることができ、音漏れを抑制することができる。
【００６５】
上述した実施形態及び各変形例では、空気の経路を迂回させる形状の迂回部を、カバー部材を直角に曲げることで形成している。迂回部を形成するカバー部材の形状としては、連続的に湾曲した形状としてもよい。
【００６６】
上述した実施形態及び各変形例では、開閉カバーである給紙部開閉カバー３５と固定された外装カバーである給紙部固定カバー９またはインナーカバーとの間にラビリンス形状の奥側隙間９１０を形成する構成である。ラビリンス形状の奥側隙間９１０を形成する部材としては、外装カバーやインナーカバーに限らず、複写機１の本体フレームの一部が奥側隙間９１０の一部を形成する構成としてもよい。この場合、本体フレームが隣接カバーとして機能する。
【００６７】
また、開閉カバーの回動軸側の隙間を形成する開閉カバーとしては、給紙部開閉カバー３５のように複写機１の外装を形成する部材に限るものではない。他の外装カバーを取り外すことによって露出する、または、開閉可能な外装カバーを開放することによって露出する、内装カバー（「インナーカバー」ともいう）で開閉する部材であってもよい。
また、開閉カバーの回動軸側の隙間を形成する開閉カバーとしては、画像形成装置の外装カバーや内装カバーに限らず、走査光学ユニット４１や駆動装置等の画像形成装置の内部に配置された装置の筐体構造のカバー部材であってもよい。
【００６８】
本実施形態では、開閉カバーを備える筐体構造が画像形成装置の筐体である場合について説明した。しかし、動作時に音を発生する音源部と、この音源部が配置された内部と外部とを空間的に仕切る開閉カバーとを備える構成であれば画像形成装置以外の電子機器でも同様の構成を適用可能である。
さらに、電子機器に限らず、内部から外部への音漏れの抑制を求められる筐体構造であれば開閉カバーの回動軸側の隙間にラビリンス形状を形成する構成は適用可能である。
【００６９】
以上に説明したものは一例であり、次の態様毎に特有の効果を奏する。
【００７０】
（態様Ａ）
筐体の内部と外部とを空間的に仕切る給紙部開閉カバー３５及び給紙部固定カバー９等の複数のカバー部材を備え、カバー部材として、鉛直回動軸３５ａ等の回動軸を中心に回動する給紙部開閉カバー３５等の開閉カバーと、開閉カバーの回動軸の側の縁部と隣接する縁部を有する給紙部固定カバー９等の隣接カバーとを備え、開閉カバーの回動軸の側の縁部と、隣接カバーの縁部との間に奥側隙間９１０等の隙間を形成する複写機１の外装カバー等の筐体構造において、筐体の内部から隙間を通過して外部に向かう経路が複数箇所の迂回部を有し、開閉カバーから隣接カバーに向けて突出し、隣接カバーとの間に複数箇所の迂回部を形成する開閉カバー奥方向突部３５ｃ等の開閉カバー突出部を備え、開閉カバーが閉鎖状態から開放状態になるように回転すると、開閉カバー突出部は、隣接カバーから離れる方向に移動する。
これによれば、上記実施形態について説明したように、隙間における複数箇所の迂回部を通過して外部に向かおうとする音は複数回回折する。複数回回折する際に音は小さくなるため、隙間を設けた構成であってもこの隙間からの音漏れを抑制することができる。また、開放状態になるときに、複数の迂回部を形成する開閉カバー突出部が隣接カバーから離れる方向に移動することにより、開閉カバー突出部が隣接カバーと干渉することなく、開閉カバーの開閉動作を行うことができる。よって、態様Ａでは、開閉カバーを備える筐体構造で、音漏れを抑制することができる。
なお、迂回部は、直線的に結び得る経路に設けた屈曲部または湾曲部であり、音が伝達する経路を直線的に結ぶよりも遠回りさせる部分である。上述した実施形態では、経路が直角に屈曲する屈曲部を複数有する構成であるが、経路が曲線状に向きが変わる湾曲部を複数有する構成であってもよい。
【００７１】
（態様Ｂ）
筐体の内部と外部とを空間的に仕切る給紙部開閉カバー３５及び給紙部固定カバー９等の複数のカバー部材を備え、カバー部材として、鉛直回動軸３５ａ等の回動軸を中心に回動する給紙部開閉カバー３５等の開閉カバーと、開閉カバーの回動軸の側の縁部と隣接する縁部を有する給紙部固定カバー９等の隣接カバーとを備え、開閉カバーの回動軸の側の縁部と、隣接カバーの縁部との間に奥側隙間９１０等の隙間を形成する複写機１の外装カバー等の筐体構造において、開閉カバーにおける回動軸よりも筐体の内部側の位置（開閉カバー内部方向延在部３５ｂ等）から隣接カバーに向けて突出して、その先端面と隣接カバーとの間に隙間を形成する開閉カバー奥方向突部３５ｃ等の開閉カバー突出部と、隣接カバーから開閉カバー突出部とは逆方向に突出して、その先端面が開閉カバー突出部の先端面よりも開閉カバー突出部の根元側に位置し、その先端面と開閉カバーとの間に隙間を形成する奥固定カバー先端対向突部９１ａ等の隣接カバー先端対向突出部とを備える。
これによれば、上記実施形態について説明したように、開閉カバー突出部の先端面と、隣接カバー先端対向突出部の先端面とが、隙間を形成する表面となる。筐体の内部から隙間を通過して外部に向かう経路は、開閉カバー突出部及び隣接カバー先端対向突出部のうちの一方の先端面に対向する経路を通過後、開閉カバー突出部の側面と隣接カバー先端対向突出部の側面とに挟まれた経路を通過する。その後、開閉カバー突出部及び隣接カバー先端対向突出部のうちの他方の先端面に対向する経路を通過することとなる。よって、この経路は一方の先端面に対向する経路と側面同士に挟まれた経路との間、及び、側面同士に挟まれた経路と他方の先端面に対向する経路との間、の少なくとも二箇所の迂回部を有し、複数箇所の迂回部を有する。筐体内部で発生し、隙間における複数箇所の迂回部を通過して外部に向かおうとする音は複数回回折する。複数回回折する際に音は小さくなるため、隙間を設けた構成であってもこの隙間からの音漏れを抑制することができる。また、開閉カバーにおける回動軸よりも筐体の内部側の位置から隣接カバーに向けて突出する開閉カバー突出部は、開放動作の際に、隣接カバーにおける隙間を形成する部分から離れる方向に移動する。このため、開閉カバー突出部が隣接カバーと干渉することなく、開閉カバーの開閉動作を行うことができる。よって、態様Ｂでは、開閉カバーを備える筐体構造で、音漏れを抑制することができる。
【００７２】
（態様Ｃ）
態様ＡまたはＢにおいて、給紙部固定カバー９等の隣接カバーから給紙部開閉カバー３５等の開閉カバーに向けて突出する奥固定カバー先端対向突部９１ａ及び奥固定カバー側面対向突部９１ｂ等の隣接カバー突出部を備え、隣接カバー突出部の先端は、開閉カバー奥方向突部３５ｃ等の開閉カバー突出部の先端よりも開閉カバー突出部の根元側に位置する。
これによれば、上記実施形態について説明したように、隣接カバー突出部と開閉カバー突出部との間に形成される奥側隙間９１０等の隙間が、複数箇所の迂回部を有する経路を形成する構成を実現することができる。
【００７３】
（態様Ｄ）
態様Ｃにおいて、隣接カバーは給紙部インナーカバー８０及び給紙部固定カバー９等の複数の隣接部材から構成され、複数の隣接部材のそれぞれが、インナーカバー突部８０ａ及び奥固定カバー先端対向突部９１ａ等の隣接カバー突出部を備える。
これによれば、上記変形例５について説明したように、複数の隣接カバー突出部を別々の部材から突出させることにより、複数の隣接カバー突出部を備える形状を容易に形成することが可能となる。
【００７４】
（態様Ｅ）
態様Ｃ乃至Ｄの何れかの態様において、開閉カバー奥方向突部３５ｃ等の開閉カバー突出部と奥固定カバー先端対向突部９１ａ及び奥固定カバー側面対向突部９１ｂ等の隣接カバー突出部との少なくとも一方の突出部を複数備え、複数の突出部同士を繋げる奥固定カバー突部補強リブ９１ｅ等の突出部間接続部を備える。
これによれば、上記実施形態について説明したように、給紙部固定カバー９等の隣接カバーまたは給紙部開閉カバー３５等の開閉カバーの強度の向上、及び、開閉カバー及び隣接カバーによる遮蔽性の向上を図ることが可能となる。
【００７５】
（態様Ｆ）
態様Ａ乃至Ｅの何れかの態様において、隣接カバーの少なくとも一部が、筐体の内部と外部とを空間的に仕切る給紙部固定カバー９等の外装カバーである。
これによれば、上記実施形態について説明したように、給紙部開閉カバー３５等の開閉カバーを備える筐体構造で、音漏れを抑制する構成を実現することができる。
【００７６】
（態様Ｇ）
態様Ａ乃至Ｆの何れかの態様において、隣接カバーの少なくとも一部が、給紙部開閉カバー３５等の開閉カバーを閉鎖した状態では、開閉カバーに覆われる給紙部インナーカバー８０等の内装部材である。
これによれば、上記変形例５について説明したように、開閉カバーを備える筐体構造で、音漏れを抑制する構成を実現することができる。
【００７７】
（態様Ｈ）
態様Ａ乃至Ｇの何れかの態様において、開閉カバーは給紙部開閉カバー３５及び開閉カバー別体部材３６等の複数の部材から構成され、複数の部材がそれぞれ開閉カバー奥方向突部３５ｃ及び別体カバー奥方向突部３６ａ等の前記開閉カバー突出部を備える。
これによれば、上記変形例３について説明したように、複数の開閉カバー突出部を別々の部材から突出させることにより、複数の開閉カバー突出部を備える形状を容易に形成することが可能となる。
【００７８】
（態様Ｉ）
態様Ａ乃至Ｈの何れかの態様において、給紙部開閉カバー３５等の開閉カバーの回動角度が９０［°］以上である。
これによれば、上記変形例３について説明したように、開閉カバーの開閉動作の操作性の向上と、開閉カバーの開放時の内部に対する操作性及び視認性の向上を図ることが出来る。
【００７９】
（態様Ｊ）
態様Ａ乃至Ｉの何れかの態様において、奥側隙間９１０等の隙間における複写機１の外装カバー等の筐体の外部側の端部近傍は、内部側ほど狭くなるテーパー状である。
これによれば、上記変形例３について説明したように、開閉カバーの回動範囲の角度を大きくしつつ、音漏れを抑制する性能を維持することができる。
【００８０】
（態様Ｋ）
態様Ａ乃至Ｊの何れかの態様において、給紙部開閉カバー３５等の開閉カバーにおける鉛直回動軸３５ａ等の回動軸の側の縁部以外の縁部である非回動軸側縁部と、給紙部固定カバー９等の隣接カバーにおける非回動軸側縁部に隣接する縁部との間の隙間として手前側隙間９２０、上側隙間９３０及び下側隙間９４０等の非回動軸側隙間を形成し、非回動軸側隙間によって形成される複写機１の外装カバー等の筐体の内部から非回動軸側隙間を通過して外部に向かう経路が、複数箇所の迂回部を有する形状となる。
これによれば、上記実施形態について説明したように、非回動軸側隙間を備えることで、開閉カバーを開閉するときに、隣接カバーが干渉することを防止できる。また、非回動軸側隙間における複数箇所の迂回部を通過して外部に向かおうとする音は複数回回折する。複数回回折する際に音は小さくなるため、装置内部で発生した音が非回動軸側隙間から外部に漏れ出ることを抑制できる。上述した実施形態では、開閉カバーにおける回動軸側の縁部以外の三辺の縁に突出部を備える。そして、これら三辺の縁部との間に非回動軸側隙間を形成する隣接カバーの部分（手前側枠部９２、上側枠部９３及び下側枠部９４等）に突出部の先端部を囲むように非回動軸側隙間を形成する凹部を備える構成となっている。これにより、開閉カバーの全周の縁部の隙間が、複数箇所の迂回部を有する構成となり、隙間を設けた構成であってもこの隙間からの音漏れを抑制することができ、装置内部で発生した音が外部に漏れ出ることを抑制できる。
【００８１】
（態様Ｌ）
態様Ａ乃至Ｋの何れかの態様において、給紙部開閉カバー３５等の開閉カバーは、鉛直回動軸３５ａ等の回動軸が鉛直方向に延在して、横開きに開閉する
これによれば、上記実施形態について説明したように、横開きの開閉カバーで、音漏れを抑制する構成を実現することができる。
【００８２】
（態様Ｍ）
態様Ａ乃至Ｋの何れかの態様において、外装開閉カバー６等の開閉カバーは、回動軸６ａ等の回動軸が水平方向に延在して、縦開きに開閉する。
これによれば、上記実施形態について説明したように、縦開きの開閉カバーで、音漏れを抑制する構成を実現することができる。
【００８３】
（態様Ｎ）
動作時に音を発生する駆動モータや走査光学ユニット４１等の音源装置と、音源装置を覆う外装カバー等の筐体とを備えた複写機１等の電子機器において、筐体として、態様Ａ乃至Ｍの何れかの態様に係る筐体構造を用いる。
これによれば、上記実施形態について説明したように、給紙部開閉カバー３５等の開閉カバーを備える電子機器の動作時に生じる音が外部に漏れ出ることを抑制できる。
【００８４】
（態様Ｏ）
複写機１等の画像形成装置において、態様Ｎに係る電子機器の構成を備える。
これによれば、上記実施形態について説明したように、給紙部開閉カバー３５等の開閉カバーを備える画像形成装置の画像形成時に生じる音が外部に漏れ出ることを抑制できる。
【符号の説明】
【００８５】
１  複写機
３  給紙部
４  画像読取部
５  画像形成部
６  外装開閉カバー
６ａ  回動軸
９  給紙部固定カバー
９ｂ  鉛直回動軸係合穴
１０  ＡＤＦ
１１  装置本体
２０  原稿トレイ
２１  原稿給紙ローラ
２２  原稿搬送ベルト
２３  原稿排紙ローラ
２４  原稿排紙トレイ
３０  給紙カセット
３１  給紙装置
３５  給紙部開閉カバー
３５ａ  鉛直回動軸
３５ｂ  開閉カバー内部方向延在部
３５ｂ１  延長部
３５ｃ  開閉カバー奥方向突部
３５ｄ  鉛直回動軸突部
３５ｅ  開閉カバー先端突部
３５ｆ  開閉カバー内部方向突部
３５ｇ  給紙部開閉カバー外装面
３６  開閉カバー別体部材
３６ａ  別体カバー奥方向突部
４０  読取筐体
４１  走査光学ユニット
４２  コンタクトガラス
４４  中間転写ベルト
５０  タンデム画像形成部
５１  露光ユニット
５２  二次転写装置
５３  定着ユニット
５５  中間転写ローラ
５６  用紙搬送ベルト
５７  支持ローラ
５８  定着ベルト
５９  加圧ローラ
６０  排紙路
６１  排紙トレイ
７０  主搬送路
７０ａ  レジストローラ対
７３  反転搬送路
７４  感光体
７５  作像部
８０  給紙部インナーカバー
８０ａ  インナーカバー突部
９１  奥側枠部
９１ａ  奥固定カバー先端対向突部
９１ｂ  奥固定カバー側面対向突部
９１ｃ  開口奥端面
９１ｄ  奥側枠部外装面
９１ｅ  奥固定カバー突部補強リブ
９１ｆ  奥側枠部傾斜部
９１ｇ  奥固定カバー屈曲突部
９２  手前側枠部
９２ａ  手前固定カバー突部
９２ｃ  開口手前端面
９３  上側枠部
９４  下側枠部
５２１  二次転写ローラ
９１０  奥側隙間
９１０ａ  第一回折口
９１０ｂ  第二回折口
９１０ｃ  第三回折口
９２０  手前側隙間
９３０  上側隙間
９４０  下側隙間
【先行技術文献】
【特許文献】
【００８６】
【特許文献１】特開２０１５−１８１１５７号公報
【図１】
0006440042.tif 000002
【図２】
0006440042.tif 000003
【図３】
0006440042.tif 000004
【図４】
0006440042.tif 000005
【図５】
0006440042.tif 000006
【図６】
0006440042.tif 000007
【図７】
0006440042.tif 000008
【図８】
0006440042.tif 000009
【図９】
0006440042.tif 000010
【図１０】
0006440042.tif 000011
【図１１】
0006440042.tif 000012
【図１２】
0006440042.tif 000013
【図１３】
0006440042.tif 000014